(57)【特許請求の範囲】
【請求項１】
プラスチックシートから成り、少なくとも１面にミシン目が形成された連接する４つの側面と、糊付片が形成され、上記４つの側面のいずれか１つの側面の上方には上蓋片が連接され、この上蓋片に切込線が設けられ、この上蓋片に連接して差込片が形成され、上記切込線は上記上蓋片と上記差込片との境界の折罫線から離れて平行な位置に設けられ、上記４つの側面のいずれか１つの側面の下方には底蓋片が連接され、この底蓋片に連接してその底蓋片の差込片が形成され、箱を組み立てたときに上記上蓋片の差込片が内側に差し込まれる１側面の上端部に連接して、フック片とこのフック片の中央部に切込線に囲まれたきのこ状の係止片が設けられ、箱を組み立てた状態で上記係止片が上記切込線に挿入されて、上記係止片の先端の突起状の部分が上記切込線に係止されることを特徴とする改ざん防止箱。
【発明の詳細な説明】
【０００１】
【発明の属する技術分野】
この発明は、上蓋や底蓋が簡単に開口できない改ざん防止箱に関する。
【０００２】
【従来の技術】
従来、紙製の包装用箱に関しては、差込部分を封緘したり、係止めを設けたりして、改ざん防止の工夫がされていた。また、無理に箱を開けようとすると、紙に切れ目や破れ目が生じ、箱に痕跡が残るというものもあった。
【０００３】
【発明が解決しようとする課題】
しかし、最近市場でよく使われているプラスチックシート製の包装箱の場合、プラスチックシートは、板紙と比べてかなり剛性が優るため、改ざんされないように糊などで封緘すると、購入者が使用時に箱を開けることが非常に困難であった。また、従来のように切れ目や破れ目で箱に痕跡を残すという方法も、その性質上無理であった。人の手の力で切れ目や、破れ目が生じることはないからである。
【０００４】
この発明は、上記従来の技術の問題点に鑑みてなされたもので、簡単な構成で改ざんを防止することができ、なおかつ、購入者が簡単に箱を開けることができる改ざん防止箱を提供することを目的とする。
【０００５】
【課題を解決するための手段】
この発明は、プラスチックシートから成り、少なくとも１面にミシン目が形成された連接する４つの側面と、糊付片が形成され、上記４つの側面のいずれか１つの側面の上方には上蓋片が連接され、この上蓋片に切込線が設けられ、この上蓋片に連接して差込片が形成され、上記切込線は上記上蓋片と上記差込片との境界の折罫線から離れて平行な位置に設けられ、上記４つの側面のいずれか１つの側面の下方には底蓋片が連接され、この底蓋片に連接してその底蓋片の差込片が形成され、箱を組み立てたときに上記上蓋片の差込片が内側に差し込まれる１側面の上端部に連接して、フック片とこのフック片の中央部に切込線に囲まれたきのこ状の係止片が設けられ、箱を組み立てた状態で上記係止片が上記切込線に挿入されて、上記係止片の先端の突起状の部分が上記切込線に係止される改ざん防止箱である。
【０００６】
【発明の実施の形態】
以下、この発明の実施の形態について図面に基づいて説明する。図１〜図３はこの発明の一実施形態を示すもので、この実施の形態の改ざん防止箱は、図１に示すようにプラスチックシートを打ち抜いた、箱体形成片１００から形成されている。この箱体形成片１００は、側面１０、１２、１４、１６が連接して形成され、側面１２の上端部には上蓋片１８、差込片５６が連続して形成され、側面１０の上端部から連続してフラップ２０、側面１４の上端部から連続してフラップ２２、側面１２の下端部に連続して底蓋片２４、差込片５８、側面１０の下端部に連接してフラップ２６、側面１４の下端部に連接して、フラップ２８が形成されている。さらに組み立て状態で、側面１０の外側に糊付けされる糊付け片３０が、側面１６の側方に一体に設けられている。
【０００７】
そして、側面１０、１２、１４、１６及び糊付片３０は、各々折罫線３６、３８、４０、４２で区切られており、上蓋片１８は、折罫線４４で側面１２と、差込片５６は、折罫線６０で上蓋片１８と区切られている。上蓋片１８には、折罫線６０に平行に切込線８２が形成されている。この切込線８２に接して、上蓋片１８から差込片５６にかけて透孔８４が形成されている。折罫線６０の両端には、切込線６２が形成されている。また、フラップ２０、２２と、側面１０、１４との間に、折罫線４６、４８が形成されている。また、底蓋片２４と側面１２との間には折罫線５０が形成され、差込片５８と底蓋片２４との間には折罫線６４が形成されている。折罫線６４の両端には、切込線６８が形成されている。底蓋片２４の折罫線６４側には切込線９２が、折罫線６４と平行に形成されている。切込線９２に接して透孔９０が底蓋片２４から差込片５８にかけて形成されている。フラップ２６、２８と、側面１０、１４との間には、折罫線５２、５４が形成されている。
【０００８】
また、側面１６の上端部には、折罫線７６を介して、フック片７０が形成されている。フック片７０の中央部には、切込線７４に囲まれて、きのこ状の係止片７２が形成されており、この係止片７２は、折罫線７６を介して、側面１６に連接している。このとき、係止片７２の突起状の部分の幅は、切込線８２の長さとほぼ等しい。側面１６の下端部には、折罫線８０を介してきのこ状の係止片７８が形成され、側面１６と折罫線８０で区切られている。この係止片７８の突起状の部分の幅は、切込線９２の長さとほぼ等しい。
【０００９】
側面１２、１４、１６、糊付片３０にかけて２本のミシン線８８が平行して形成されている。ミシン線８８の延長上に、糊付片３０に連続して、つまみ部８６が形成されている。また、側面１０にはミシン線８８の延長線上に折罫線９４が形成されている。
【００１０】
次に、この実施の形態の改ざん防止箱の組み立て方法について、図面について説明する。なおここでは、図１がこの改ざん防止箱の箱体形成片１００の表面側を見たものであり、図１において、紙面表面側が凸になる折り方を正折り、紙面表面側が凹になる折り方を逆折りと称する。まず、糊付片３０の裏面側に糊を塗布する。そして、図１に示す状態から折罫線４０、３６を正折りし、糊付片３０の裏面と側面１０の表面を貼り合わせる。
【００１１】
次に、商品を収容し包装する工場等において、折罫線３６、３８、４０、４２を９０度の状態に正折りして四角の箱体にする。そして、折罫線５２、５４でフラップ２６、２８を９０度に正折りし、その後、折罫線５０、６４で底蓋片２４を９０度に正折りし、差込片５８を側面１６の内側に差し込みながら折罫線８０を９０度に正折りし、係止片７８を切込線９２から底蓋片２４の内側に差し込んでいく。この時、透孔９０が差込片５８から底蓋片２４にかけて形成されているため、透孔９０上に沿って係止片７８が切込線９２に差し込みやすくなる。この係止片７８を一度差し込むと、先端の突起状の部分が切込線９２の断面に引っかかるため、この底蓋片２４を開けることは大変困難となる。
【００１２】
この状態で、商品を箱体形成片１００による箱体の中に入れる。次に、折罫線４６、４８でフラップ２０、２２を９０度に正折りし、折罫線４４で上蓋片１８を正折りし、さらに折罫線６０を９０度に正折りして、差込片５６を側面１６の内側に差し込みながら、図２に示すように、折罫線７６を９０度に正折りし、係止片７２を切込線８２から上蓋片１８の内側に差し込んでいく。この時、透孔８４が差込片５６から上蓋片１８にかけて形成されているため、透孔８４上に沿って係止片７２が切込線８２に差し込みやすくなる。この係止片７２を一度差し込むと、先端の突起状の部分が切込線８２の断面に引っかかるため、この上蓋片２４を簡単に開けることは難しくなる。
【００１３】
この実施形態の改ざん防止箱は、プラスチックシートで形成されているため、紙箱だと、係止片７２、７８部分が破れて取れてしまったり、切込線８２、９２が裂けてしまったりして上蓋片１８、底蓋片２４が開いてしまうことがあるが、プラスチックシートは、剛性があり、手では破くことが難しいため、上蓋片１８、底蓋片２４を開けることは大変難しい。
【００１４】
また、差込片７２を切込線８２に差し込むことでフック片７０の中央には穴が形成される。この穴に陳列什器のピンなどを挿通することで吊り下げが可能になる。
【００１５】
次に、この改ざん防止箱から商品を取り出す際には、つまみ部８６を持って、ミシン線８８に沿ってミシン線８８を破いていく。そして、折罫線９４を逆折りすると、改ざん防止箱の上側が開口し、商品を取り出すことが出来る。この改ざん防止箱から商品を取り出すためには、ミシン線８８を破くしかなく、一度破いたミシン線８８を修復することはできない。従って、商品を取り出したかどうかは、改ざん防止箱をみると一目瞭然であり、改ざんされたことが一目で分かるものである。
【００１６】
なお、この発明の改ざん防止箱は、上記実施の形態に限定されるものではなく、素材や、各差込片や切込線、ミシン線の形状など、適宜変更可能である。
【００１７】
【発明の効果】
この発明の改ざん防止箱は、係止片を切込線に差し込むことで、係止片の断面と、切込線の断面が重なり、蓋片がロックされる。従って、糊で封緘する必要がない。また、ミシン線を破らないと改ざん防止箱内の商品を取り出すことができず、いったんミシン線を破ると容易にその事実がわかり、第三者による内部の改ざんを確実に防止することができるものである。また、上蓋片側の係止片の周囲のフック片は、改ざん防止箱を組み立てることで中央に穴が形成され、店頭にて吊り下げて展示することも出来るようになるものである。
【図面の簡単な説明】
【図１】この発明の一実施形態の改ざん防止箱の展開図である。
【図２】この実施形態の改ざん防止箱の組み立て状態を示す斜視図である。
【図３】この実施形態の改ざん防止箱の使用状態を示す部分破断側面図である。
【符号の説明】
１０、１２、１４、１６ 側面
１８ 上蓋片
２４ 底蓋片
２０、２２、２６、２８ フラップ
３０ 糊付片
３６、３８、４０、４２、４４、４６、４８、５０、５２、５４、６０、６４
７６、８０、９４ 折罫線
５６、５８
差込み
６２、６８、７４、８２、９２ 切込線
８４、９０
透孔
８６ つまみ部
８８ ミシン線
【図１】
0004234853.tif 000002
【図２】
0004234853.tif 000003
【図３】
0004234853.tif 000004